(57)【要約】【課題】複数の無線基地局を収容するゲートウェイ装置が設けられている場合であっても、移動局ＵＥに対する「Ａｃｃｅｓｓｉｂｉｌｉｔｙ  Ｃｈｅｃｋ」を行う。【解決手段】本発明に係る移動通信方法は、交換局ＭＭＥが、無線基地局ＨｅＮＢ２を収容するゲートウェイ装置ＨｅＮＢ-ＧＷから、無線基地局ＨｅＮＢ２のｅＮＢ-ＩＤ及びＣＳＧ-ＩＤの組み合わせを含む「ｅＮＢ-ＩＤ←→ＣＳＧ-ＩＤテーブル」を取得する工程と、無線基地局ｅＮＢが、ゲートウェイ装置ＨｅＮＢ-ＧＷに対して、「ＨＯ  Ｒｅｑｕｅｓｔ」を送信する工程と、ゲートウェイ装置ＨｅＮＢ-ＧＷが、「ＨＯ  Ｒｅｑｕｅｓｔ」に応じて、交換局ＭＭＥに対して、移動局ＵＥが無線基地局ＨｅＮＢ２に対してアクセス可能であるか否かについて判定するように要求する工程とを有する。【選択図】図１
2011041235.tif 000002
【特許請求の範囲】
【請求項１】
交換局が、移動局のアクセス可能な無線基地局グループ識別情報を規定するアクセス情報を管理する工程と、
前記交換局が、第２無線基地局を収容するゲートウェイ装置から、該第２無線基地局の識別情報及び無線基地局グループ識別情報の組み合わせを取得する工程と、
第１無線基地局が、前記移動局の該第１無線基地局配下のセルから前記第２無線基地局配下のセルへのハンドオーバを行うことを決定した場合に、前記ゲートウェイ装置に対して、該移動局の識別情報及び該第２無線基地局の識別情報を含むハンドオーバ要求信号を送信する工程と、
前記ゲートウェイ装置が、前記ハンドオーバ要求信号に応じて、前記交換局に対して、前記移動局が前記第２無線基地局に対してアクセス可能であるか否かについて判定するように要求する工程と、
前記交換局が、前記要求に応じて、前記アクセス情報及び前記組み合わせを参照して、前記移動局が前記第２無線基地局に対してアクセス可能であるか否かについて判定する工程とを有することを特徴とする移動通信方法。
【請求項２】
交換局が、移動局のアクセス可能な無線基地局グループ識別情報を規定するアクセス情報を管理する工程と、
第２無線基地局を収容するゲートウェイ装置が、該第２無線基地局の識別情報及び無線基地局グループ識別情報の組み合わせを管理する工程と、
第１無線基地局が、前記移動局の該第１無線基地局配下のセルから前記第２無線基地局配下のセルへのハンドオーバを行うことを決定した場合に、前記ゲートウェイ装置に対して、該移動局の識別情報及び該第２無線基地局の識別情報を含むハンドオーバ要求信号を送信する工程と、
前記ゲートウェイ装置が、前記ハンドオーバ要求信号に応じて、前記交換局から、前記アクセス情報を取得する工程と、
前記ゲートウェイ装置が、前記アクセス情報及び前記組み合わせに基づいて、前記移動局が前記第２無線基地局に対してアクセス可能であるか否かについて判定する工程とを有することを特徴とする移動通信方法。
【請求項３】
第２無線基地局を収容するゲートウェイ装置であって、
前記第２無線基地局の識別情報及び無線基地局グループ識別情報の組み合わせを管理するように構成されている管理部と、
交換局に対して、前記組み合わせを報告するように構成されている報告部と、
第１無線基地局が、前記移動局の該第１無線基地局配下のセルから前記第２無線基地局配下のセルへのハンドオーバを行うことを決定した場合に、該第１無線基地局から、該第２無線基地局の識別情報を含むハンドオーバ要求信号を受信するように構成されているハンドオーバ処理部とを具備しており、
前記ハンドオーバ処理部は、前記ハンドオーバ要求信号に応じて、前記交換局に対して、前記移動局が前記第２無線基地局に対してアクセス可能であるか否かについて判定するように要求するように構成されていることを特徴とするゲートウェイ装置。
【請求項４】
第２無線基地局を収容するゲートウェイ装置であって、
前記第２無線基地局の識別情報及び無線基地局グループ識別情報の組み合わせを管理するように構成されている管理部と、
第１無線基地局が、前記移動局の該第１無線基地局配下のセルから前記第２無線基地局配下のセルへのハンドオーバを行うことを決定した場合に、該第１無線基地局から、該移動局の識別情報及び該第２無線基地局の識別情報を含むハンドオーバ要求信号を受信するように構成されているハンドオーバ処理部と、
前記ハンドオーバ要求信号に応じて、前記組み合わせ及び前記移動局のアクセス可能な無線基地局グループ識別情報を規定するアクセス情報に基づいて、該移動局が前記第２無線基地局に対してアクセス可能であるか否かについて判定するように構成されている判定部とを具備しており、
前記ハンドオーバ処理部は、前記ハンドオーバ要求信号に応じて、前記交換局から、前記アクセス情報を取得するように構成されていることを特徴とするゲートウェイ装置。
【請求項５】
交換局が、移動局のアクセス可能な無線基地局グループ識別情報を規定するアクセス情報を管理する工程と、
前記交換局が、第２無線基地局を収容するゲートウェイ装置から、該第２無線基地局の識別情報及び無線基地局グループ識別情報の組み合わせを取得する工程と、
第１無線基地局が、前記移動局の該第１無線基地局配下のセルから前記第２無線基地局配下のセルへのハンドオーバを行うことを決定した場合に、前記ゲートウェイ装置を介して該第２無線基地局に対して、該移動局の識別情報及び該第２無線基地局の識別情報を含むハンドオーバ要求信号を送信する工程と、
前記第２無線基地局が、前記ハンドオーバ要求信号に応じて、前記交換局に対して、前記移動局が該第２無線基地局に対してアクセス可能であるか否かについて判定するように要求する工程と、
前記交換局が、前記要求に応じて、前記アクセス情報及び前記組み合わせを参照して、前記移動局が前記第２無線基地局に対してアクセス可能であるか否かについて判定する工程とを有することを特徴とする移動通信方法。
【請求項６】
ゲートウェイ装置に収容される第２無線基地局として機能する無線基地局であって、
前記第２無線基地局の識別情報及び無線基地局グループ識別情報の組み合わせを管理するように構成されている管理部と、
前記ゲートウェイ装置に対して、前記組み合わせを報告するように構成されている報告部と、
第１無線基地局が、前記移動局の該第１無線基地局配下のセルから前記第２無線基地局配下のセルへのハンドオーバを行うことを決定した場合に、該第１無線基地局から、該第２無線基地局の識別情報を含むハンドオーバ要求信号を受信するように構成されているハンドオーバ処理部とを具備しており、
前記ハンドオーバ処理部は、前記ハンドオーバ要求信号に応じて、交換局に対して、前記移動局が前記第２無線基地局に対してアクセス可能であるか否かについて判定するように要求するように構成されていることを特徴とする無線基地局。
【請求項７】
第１無線基地局が、移動局の該第１無線基地局配下のセルからゲートウェイ装置に収容されている第２無線基地局配下のセルへのハンドオーバを行うことを決定した場合に、該第２無線基地局のアクセスモードに基づいて、該移動局が該第２無線基地局に対してアクセス可能であるか否かについて判定するべきか否かについて決定する工程を有することを特徴とする移動通信方法。
【発明の詳細な説明】
【技術分野】
【０００１】
本発明は、移動通信方法、無線基地局及びゲートウェイ装置に関する。
【背景技術】
【０００２】
Ｅ-ＵＴＲＡＮ方式の移動通信システムでは、「Ｈｙｂｒｉｄ  Ａｃｃｅｓｓ」方式や「Ｃｌｏｓｅｄ  Ａｃｃｅｓｓ」方式で運用されている無線基地局ＨｅＮＢ（Ｈｏｍｅ  ｅＮｏｄｅＢ）に接続している移動局ＵＥが、アタッチ（Ａｔｔａｃｈ）処理やサービス要求（Ｓｅｒｖｉｃｅ  Ｒｅｑｕｅｓｔ）処理やハンドオーバ処理を行う場合に、交換局ＭＭＥが、移動局ＵＥが無線基地局ＨｅＮＢ配下のＣＳＧ（Ｃｌｏｓｅｄ  Ｓｕｂｓｃｒｉｂｅｒ  Ｇｒｏｕｐ）セルにアクセス権を有しているか否かについてチェックする「Ａｃｃｅｓｓｉｂｉｌｉｔｙ  Ｃｈｅｃｋ」を行うように構成されている。
【０００３】
図８を参照して、かかる「Ａｃｃｅｓｓｉｂｉｌｉｔｙ  Ｃｈｅｃｋ」の一例について簡単に説明する。
【０００４】
図８に示すように、無線基地局ｅＮＢ配下のセルに在圏している移動局ＵＥは、無線基地局ｅＮＢに対して、ＰＣＩ（Ｐｈｙｓｉｃａｌ  Ｃｅｌｌ  ＩＤ）のみを含む「Ｍｅａｓｕｒｅｍｅｎｔ  Ｒｅｐｏｒｔ（ステップＳ１００１Ａ）」、或いは、ＰＣＩ及びＥ-ＣＧＩ（Ｅ-ＵＴＲＡ  Ｃｅｌｌ  Ｇｌｏｂａｌ  ＩＤ）を含む「Ｍｅａｓｕｒｅｍｅｎｔ  Ｒｅｐｏｒｔ（ステップＳ１００１Ｂ）」を送信する。
【０００５】
無線基地局ｅＮＢは、受信した「Ｍｅａｓｕｒｅｍｅｎｔ  Ｒｅｐｏｒｔ」に基づいて、移動局ＵＥの無線基地局ｅＮＢから無線基地局ＨｅＮＢ２へのハンドオーバを行うことを決定すると、かかる「Ｍｅａｓｕｒｅｍｅｎｔ  Ｒｅｐｏｒｔ」含まれるＰＣＩ（ステップＳ１００２Ａ）或いはＥ-ＣＧＩ（ステップＳ１００２Ｂ）に基づいて、ハンドオーバ先の無線基地局ＨｅＮＢ２のｅＮＢ-ＩＤ「ｙｙｙ.００１」を決定し、ステップＳ１００３において、かかる無線基地局ＨｅＮＢ２のｅＮＢ-ＩＤ「ｙｙｙ.００１」を含む「ＨＯ  Ｒｅｑｕｉｒｅｄ」を、交換局ＭＭＥに対して送信する。
【０００６】
ステップＳ１００４において、交換局ＭＭＥは、「ｅＮＢ-ＩＤ←→ＣＳＧ-ＩＤテーブル」を参照して、受信した「ＨＯ  Ｒｅｑｕｉｒｅｄ」に含まれる無線基地局ＨｅＮＢ２のｅＮＢ-ＩＤ「ｙｙｙ.００１」に対応するＣＳＧ-ＩＤ「＃３１」を抽出し、移動局ＵＥ用の「ＵＥ  ＣＳＧ  Ｓｕｂｓｃｒｉｐｔｉｏｎ  ｉｎｆｏ」内にＣＳＧ-ＩＤ「＃３１」が含まれているか否かについてチェックすることによって、移動局ＵＥに対する「Ａｃｃｅｓｓｉｂｉｌｉｔｙ  Ｃｈｅｃｋ」を行う。
【０００７】
なお、交換局ＭＭＥは、各無線基地局ＨｅＮＢとの間でＳ１コネクションを確立する際に、無線基地局ＨｅＮＢのｅＮＢ-ＩＤ及びＣＳＧ-ＩＤの組み合わせを含む「ｅＮＢ-ＩＤ←→ＣＳＧ-ＩＤテーブル」を取得するように構成されている。
【先行技術文献】
【非特許文献】
【０００８】
【非特許文献１】ＴＳ３６.３００  Ｅｖｏｌｖｅｄ Ｕｎｉｖｅｒｓａｌ Ｔｅｒｒｅｓｔｒｉａｌ Ｒａｄｉｏ Ａｃｃｅｓｓ（Ｅ‐ＵＴＲＡ）  ａｎｄ  Ｅｖｏｌｖｅｄ Ｕｎｉｖｅｒｓａｌ  Ｔｅｒｒｅｓｔｒｉａｌ Ｒａｄｉｏ Ａｃｃｅｓｓ  Ｎｅｔｗｏｒｋ（Ｅ‐ＵＴＲＡＮ）；  Ｏｖｅｒａｌｌ  ｄｅｓｃｒｉｐｔｉｏｎ；  Ｓｔａｇｅ  ２
【非特許文献２】ＴＳ３６.４０１  Ｇｅｎｅｒａｌ  Ｐａｃｋｅｔ  Ｒａｄｉｏ  Ｓｅｒｖｉｃｅ（ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ‐ＵＴＲＡＮ）  ａｃｃｅｓｓ
【発明の概要】
【発明が解決しようとする課題】
【０００９】
しかしながら、従来のＥ-ＵＴＲＡＮ方式の移動通信システムでは、交換局ＭＭＥと無線基地局ＨｅＮＢとの間にゲートウェイ装置ＨｅＮＢ-ＧＷを設けることができるように構成されている。
【００１０】
かかるゲートウェイ装置ＨｅＮＢ-ＧＷが設けられている場合、図９に示すように、交換局ＭＭＥは、ゲートウェイ装置ＨｅＮＢ-ＧＷに収容されている各無線基地局ＨｅＮＢのｅＮＢ-ＩＤ及びＣＳＧ-ＩＤの組み合わせを把握することができないため、ステップＳ２００４において、上述の移動局ＵＥに対する「Ａｃｃｅｓｓｉｂｉｌｉｔｙ  Ｃｈｅｃｋ」を行うことができないという問題点があった。
【００１１】
そこで、本発明は、上述の課題に鑑みてなされたものであり、複数の無線基地局を収容するゲートウェイ装置が設けられている場合であっても、移動局ＵＥに対する「Ａｃｃｅｓｓｉｂｉｌｉｔｙ  Ｃｈｅｃｋ」を行うことができる移動通信方法、無線基地局及びゲートウェイ装置を提供することを目的とする。
【課題を解決するための手段】
【００１２】
本発明の第１の特徴は、移動通信方法であって、交換局が、移動局のアクセス可能な無線基地局グループ識別情報を規定するアクセス情報を管理する工程と、前記交換局が、第２無線基地局を収容するゲートウェイ装置から、該第２無線基地局の識別情報及び無線基地局グループ識別情報の組み合わせを取得する工程と、第１無線基地局が、前記移動局の該第１無線基地局配下のセルから前記第２無線基地局配下のセルへのハンドオーバを行うことを決定した場合に、前記ゲートウェイ装置に対して、該移動局の識別情報及び該第２無線基地局の識別情報を含むハンドオーバ要求信号を送信する工程と、前記ゲートウェイ装置が、前記ハンドオーバ要求信号に応じて、前記交換局に対して、前記移動局が前記第２無線基地局に対してアクセス可能であるか否かについて判定するように要求する工程と、前記交換局が、前記要求に応じて、前記アクセス情報及び前記組み合わせを参照して、前記移動局が該第２無線基地局に対してアクセス可能であるか否かについて判定する工程とを有することを要旨とする。
【００１３】
本発明の第２の特徴は、移動通信方法であって、交換局が、移動局のアクセス可能な無線基地局グループ識別情報を規定するアクセス情報を管理する工程と、第２無線基地局を収容するゲートウェイ装置が、該第２無線基地局の識別情報及び無線基地局グループ識別情報の組み合わせを管理する工程と、第１無線基地局が、前記移動局の該第１無線基地局配下のセルから前記第２無線基地局配下のセルへのハンドオーバを行うことを決定した場合に、前記ゲートウェイ装置に対して、該移動局の識別情報及び該第２無線基地局の識別情報を含むハンドオーバ要求信号を送信する工程と、前記ゲートウェイ装置が、前記ハンドオーバ要求信号に応じて、前記交換局から、前記アクセス情報を取得する工程と、前記ゲートウェイ装置が、前記アクセス情報及び前記組み合わせに基づいて、前記移動局が前記第２無線基地局に対してアクセス可能であるか否かについて判定する工程とを有することを要旨とする。
【００１４】
本発明の第３の特徴は、第２無線基地局を収容するゲートウェイ装置であって、前記第２無線基地局の識別情報及び無線基地局グループ識別情報の組み合わせを管理するように構成されている管理部と、交換局に対して、前記組み合わせを報告するように構成されている報告部と、第１無線基地局が、前記移動局の該第１無線基地局配下のセルから前記第２無線基地局配下のセルへのハンドオーバを行うことを決定した場合に、該第１無線基地局から、該第２無線基地局の識別情報を含むハンドオーバ要求信号を受信するように構成されているハンドオーバ処理部とを具備しており、前記ハンドオーバ処理部は、前記ハンドオーバ要求信号に応じて、前記交換局に対して、前記移動局が前記第２無線基地局に対してアクセス可能であるか否かについて判定するように要求するように構成されていることを要旨とする。
【００１５】
本発明の第４の特徴は、第２無線基地局を収容するゲートウェイ装置であって、前記第２無線基地局の識別情報及び無線基地局グループ識別情報の組み合わせを管理するように構成されている管理部と、第１無線基地局が、前記移動局の該第１無線基地局配下のセルから前記第２無線基地局配下のセルへのハンドオーバを行うことを決定した場合に、該第１無線基地局から、該移動局の識別情報及び該第２無線基地局の識別情報を含むハンドオーバ要求信号を受信するように構成されているハンドオーバ処理部と、前記ハンドオーバ要求信号に応じて、前記組み合わせ及び前記移動局のアクセス可能な無線基地局グループ識別情報を規定するアクセス情報に基づいて、該移動局が前記第２無線基地局に対してアクセス可能であるか否かについて判定するように構成されている判定部とを具備しており、前記ハンドオーバ処理部は、前記ハンドオーバ要求信号に応じて、前記交換局から、前記アクセス情報を取得するように構成されていることを要旨とする。
【００１６】
本発明の第５の特徴は、移動通信方法であって、交換局が、移動局のアクセス可能な無線基地局グループ識別情報を規定するアクセス情報を管理する工程と、前記交換局が、第２無線基地局を収容するゲートウェイ装置から、該第２無線基地局の識別情報及び無線基地局グループ識別情報の組み合わせを取得する工程と、第１無線基地局が、前記移動局の該第１無線基地局配下のセルから前記第２無線基地局配下のセルへのハンドオーバを行うことを決定した場合に、前記ゲートウェイ装置を介して該第２無線基地局に対して、該移動局の識別情報及び該第２無線基地局の識別情報を含むハンドオーバ要求信号を送信する工程と、前記第２無線基地局が、前記ハンドオーバ要求信号に応じて、前記交換局に対して、前記移動局が該第２無線基地局に対してアクセス可能であるか否かについて判定するように要求する工程と、前記交換局が、前記要求に応じて、前記アクセス情報及び前記組み合わせを参照して、前記移動局が前記第２無線基地局に対してアクセス可能であるか否かについて判定する工程とを有することを要旨とする。
【００１７】
本発明の第６の特徴は、ゲートウェイ装置に収容される第２無線基地局として機能する無線基地局であって、前記第２無線基地局の識別情報及び無線基地局グループ識別情報の組み合わせを管理するように構成されている管理部と、前記ゲートウェイ装置に対して、前記組み合わせを報告するように構成されている報告部と、第１無線基地局が、前記移動局の該第１無線基地局配下のセルから前記第２無線基地局配下のセルへのハンドオーバを行うことを決定した場合に、該第１無線基地局から、該第２無線基地局の識別情報を含むハンドオーバ要求信号を受信するように構成されているハンドオーバ処理部とを具備しており、前記ハンドオーバ処理部は、前記ハンドオーバ要求信号に応じて、交換局に対して、前記移動局が前記第２無線基地局に対してアクセス可能であるか否かについて判定するように要求するように構成されていることを要旨とする。
【００１８】
本発明の第７の特徴は、移動通信方法であって、第１無線基地局が、移動局の該第１無線基地局配下のセルからゲートウェイ装置に収容されている第２無線基地局配下のセルへのハンドオーバを行うことを決定した場合に、該第２無線基地局のアクセスモードに基づいて、該移動局が該第２無線基地局に対してアクセス可能であるか否かについて判定するべきか否かについて決定する工程を有することを要旨とする。
【発明の効果】
【００１９】
以上説明したように、本発明によれば、複数の無線基地局を収容するゲートウェイ装置が設けられている場合であっても、移動局ＵＥに対する「Ａｃｃｅｓｓｉｂｉｌｉｔｙ  Ｃｈｅｃｋ」を行うことができる移動通信方法、無線基地局及びゲートウェイ装置を提供することができる。
【図面の簡単な説明】
【００２０】
【図１】本発明の第１の実施形態に係る移動通信システムの動作を説明するための図である。
【図２】本発明の第１の実施形態に係る移動通信システムの機能ブロック図である。
【図３】本発明の変更例１に係る移動通信システムの動作を説明するための図である。
【図４】本発明の変更例１に係る移動通信システムの機能ブロック図である。
【図５】本発明の変更例２に係る移動通信システムの動作を説明するための図である。
【図６】本発明の変更例２に係る移動通信システムの機能ブロック図である。
【図７】本発明の変更例３に係る移動通信システムについて説明するための図である。
【図８】従来の移動通信システムの動作を説明するための図である。
【図９】従来の移動通信システムの動作の問題点を説明するための図である。
【発明を実施するための形態】
【００２１】
（本発明の第１の実施形態に係る移動通信システム）
図１及び図２を参照して、本発明の第１の実施形態に係る移動通信システムの構成について説明する。
【００２２】
本実施形態に係る移動通信システムは、Ｅ-ＵＴＲＡＮ方式の移動通信システムであって、図１に示すように、交換局ＭＭＥと、ゲートウェイ装置ＨｅＮＢ-ＧＷと、無線基地局ｅＮＢと、無線基地局ＨｅＮＢとを具備している。
【００２３】
図１を参照して、本実施形態に係る移動通信システムにおいて、移動局ＵＥが、無線基地局ｅＮＢ配下のセルから無線基地局ＨｅＮＢ２配下のセルにハンドオーバする際に、かかる移動局ＵＥに対する「Ａｃｃｅｓｓｉｂｉｌｉｔｙ  Ｃｈｅｃｋ」を行う動作について説明する。
【００２４】
なお、本実施形態に係る移動通信システムでは、ハンドオーバに係る信号（Ｈａｎｄｏｖｅｒ  Ｓｉｇｎａｌｉｎｇ）は、ゲートウェイ装置ＨｅＮＢ-ＧＷにて終端されるように構成されている。
【００２５】
図１に示すように、無線基地局ｅＮＢ配下のセルに在圏している移動局ＵＥは、無線基地局ｅＮＢに対して、ＰＣＩのみを含む「Ｍｅａｓｕｒｅｍｅｎｔ  Ｒｅｐｏｒｔ（ステップＳ１０１Ａ）」、或いは、ＰＣＩ及びＥ-ＣＧＩを含む「Ｍｅａｓｕｒｅｍｅｎｔ  Ｒｅｐｏｒｔ（ステップＳ１０１Ｂ）」を送信する。
【００２６】
無線基地局ｅＮＢは、受信した「Ｍｅａｓｕｒｅｍｅｎｔ  Ｒｅｐｏｒｔ」に基づいて、移動局ＵＥの無線基地局ｅＮＢ配下のセルから無線基地局ＨｅＮＢ２配下のセルへのハンドオーバを行うことを決定すると、かかる「Ｍｅａｓｕｒｅｍｅｎｔ  Ｒｅｐｏｒｔ」含まれるＰＣＩ（ステップＳ１０２Ａ）或いはＥ-ＣＧＩ（ステップＳ１０２Ｂ）に基づいて、ハンドオーバ先の無線基地局ＨｅＮＢ２のｅＮＢ-ＩＤ「ｙｙｙ.００１」を決定し、ステップＳ１０３において、移動局ＵＥの識別情報及び無線基地局ＨｅＮＢ２のｅＮＢ-ＩＤ「ｙｙｙ.００１」を含む「ＨＯ  Ｒｅｑｕｅｓｔ」を、ゲートウェイ装置ＨｅＮＢ-ＧＷに対して送信する。
【００２７】
ここで、本実施形態に係る移動通信システムにおいて、移動局ＵＥの識別情報は、「ＴＭＳＩ：Ｔｅｍｐｏｒａｒｙ  Ｍｏｂｉｌｅ  Ｓｕｂｓｃｒｉｂｅｒ  Ｉｄｅｎｔｉｔｙ」や「ｅＮＢ  ＵＥ  Ｓ１ＡＰ  ＩＤ」や「ＭＭＥ  ＵＥ  Ｓ１ＡＰ  ＩＤ」であってもよい。
【００２８】
ステップＳ１０４において、ゲートウェイ装置ＨｅＮＢ-ＧＷは、かかる「ＨＯ  Ｒｅｑｕｅｓｔ」に応じて、交換局ＭＭＥに対して、移動局ＵＥが無線基地局ＨｅＮＢ２に対してアクセス可能であるか否かについて判定するように要求する「Ａｃｃｅｓｓ  Ｃｈｅｃｋ  Ｒｅｑｕｅｓｔ」を送信する。
【００２９】
なお、かかる「Ａｃｃｅｓｓ  Ｃｈｅｃｋ  Ｒｅｑｕｅｓｔ」には、無線基地局ＨｅＮＢ２のｅＮＢ-ＩＤ「ｙｙｙ.００１」や、移動局ＵＥの識別情報等が含まれている。ここで、かかる「Ａｃｃｅｓｓ  Ｃｈｅｃｋ  Ｒｅｑｕｅｓｔ」に、無線基地局ＨｅＮＢ２のＣＳＧ-ＩＤ「＃３１」が含まれていてもよい。
【００３０】
交換局ＭＭＥは、かかる「Ａｃｃｅｓｓ  Ｃｈｅｃｋ  Ｒｅｑｕｅｓｔ」に応じて、無線基地局ＨｅＮＢ２のｅＮＢ-ＩＤ及びＣＳＧ-ＩＤの組み合わせ（エントリ）を含む「ｅＮＢ-ＩＤ←→ＣＳＧ-ＩＤテーブル」を参照して、「Ａｃｃｅｓｓ  Ｃｈｅｃｋ  Ｒｅｑｕｅｓｔ」に含まれる無線基地局ＨｅＮＢ２のｅＮＢ-ＩＤ「ｙｙｙ.００１」に対応するＣＳＧ-ＩＤ「＃３１」を抽出し、受信した「Ａｃｃｅｓｓ  Ｃｈｅｃｋ  Ｒｅｑｕｅｓｔ」に含まれる移動局ＵＥの識別情報によって特定される移動局ＵＥ用の「ＵＥ  ＣＳＧ  Ｓｕｂｓｃｒｉｐｔｉｏｎ  ｉｎｆｏ」内にＣＳＧ-ＩＤ「＃３１」が含まれているか否かについてチェックすることによって、移動局ＵＥに対する「Ａｃｃｅｓｓｉｂｉｌｉｔｙ  Ｃｈｅｃｋ」を行う。
【００３１】
なお、交換局ＭＭＥは、無線基地局ＨｅＮＢ２収容するゲートウェイ装置ＨｅＮＢ-ＧＷとの間でＳ１コネクションを確立する際に、無線基地局ＨｅＮＢ２のｅＮＢ-ＩＤ及びＣＳＧ-ＩＤの組み合わせを含む「ｅＮＢ-ＩＤ←→ＣＳＧ-ＩＤテーブル」を取得するように構成されていてもよい。
【００３２】
ここで、交換局ＭＭＥは、受信した「Ａｃｃｅｓｓ  Ｃｈｅｃｋ  Ｒｅｑｕｅｓｔ」に、無線基地局ＨｅＮＢ２のＣＳＧ-ＩＤ「＃３１」が含まれている場合、上述の「ｅＮＢ-ＩＤ←→ＣＳＧ-ＩＤテーブル」を参照することなく、「Ａｃｃｅｓｓ  Ｃｈｅｃｋ  Ｒｅｑｕｅｓｔ」に含まれる無線基地局ＨｅＮＢ２のＣＳＧ-ＩＤ「＃３１」を抽出し、受信した「Ａｃｃｅｓｓ  Ｃｈｅｃｋ  Ｒｅｑｕｅｓｔ」に含まれる移動局ＵＥの識別情報によって特定される移動局ＵＥ用の「ＵＥ  ＣＳＧ  Ｓｕｂｓｃｒｉｐｔｉｏｎ  ｉｎｆｏ」内にＣＳＧ-ＩＤ「＃３１」が含まれているか否かについてチェックすることによって、移動局ＵＥに対する「Ａｃｃｅｓｓｉｂｉｌｉｔｙ  Ｃｈｅｃｋ」を行ってもよい。
【００３３】
かかる場合、交換局ＭＭＥは、無線基地局ＨｅＮＢ２のｅＮＢ-ＩＤ及びＣＳＧ-ＩＤの組み合わせを含む「ｅＮＢ-ＩＤ←→ＣＳＧ-ＩＤテーブル」を管理していなくてもよい。
【００３４】
ゲートウェイ装置ＨｅＮＢ-ＧＷは、交換局ＭＭＥから、移動局ＵＥに対する「Ａｃｃｅｓｓｉｂｉｌｉｔｙ  Ｃｈｅｃｋ」が成功した旨の通知を受信した場合、ステップＳ１０５において、無線基地局ＨｅＮＢ２に対して、「ＨＯ  Ｒｅｑｕｅｓｔ」を送信する。
【００３５】
図２に示すように、本実施形態に係る移動通信システムにおいて、無線基地局ＨｅＮＢ２は、管理部１１と、報告部１２とを具備し、ゲートウェイ装置ＨｅＮＢ-ＧＷは、受信部２１と、管理部２２と、報告部２３と、ハンドオーバ処理部２４とを具備し、交換局ＭＭＥは、受信部３１と、管理部３２と、判定部３３と、通知部２４とを具備している。
【００３６】
無線基地局ＨｅＮＢ２の管理部１１は、無線基地局ＨｅＮＢ２のｅＮＢ-ＩＤ「ｙｙｙ.００１」及びＣＳＧ-ＩＤ「＃３１」の組み合わせを管理するように構成されている。
【００３７】
無線基地局ＨｅＮＢ２の報告部１２は、所定タイミングで、例えば、ゲートウェイ装置ＨｅＮＢ-ＧＷと無線基地局ＨｅＮＢ２との間でＳ１コネクションを確立する際に、ゲートウェイ装置ＨｅＮＢ-ＧＷに対して、無線基地局ＨｅＮＢ２のｅＮＢ-ＩＤ「ｙｙｙ.００１」及びＣＳＧ-ＩＤ「＃３１」の組み合わせを報告するように構成されている。
【００３８】
ゲートウェイ装置ＨｅＮＢ-ＧＷの受信部２１は、収容している無線基地局ＨｅＮＢ１乃至ＨｅＮＢ３によって報告された無線基地局ＨｅＮＢ１乃至ＨｅＮＢ３のｅＮＢ-ＩＤ及びＣＳＧ-ＩＤの組み合わせを受信するように構成されている。
【００３９】
ゲートウェイ装置ＨｅＮＢ-ＧＷの管理部２２は、受信部２１によって受信された無線基地局ＨｅＮＢ１乃至ＨｅＮＢ３のｅＮＢ-ＩＤ及びＣＳＧ-ＩＤの組み合わせを含む「ｅＮＢ-ＩＤ←→ＣＳＧ-ＩＤテーブル」を管理するように構成されている。
【００４０】
ゲートウェイ装置ＨｅＮＢ-ＧＷの報告部２３は、所定タイミングで、例えば、例えば、ゲートウェイ装置ＨｅＮＢ-ＧＷと交換局ＭＭＥとの間でＳ１コネクションを確立する際に、交換局ＭＭＥに対して、収容している無線基地局ＨｅＮＢ１乃至ＨｅＮＢ３のｅＮＢ-ＩＤ及びＣＳＧ-ＩＤの組み合わせを含む「ｅＮＢ-ＩＤ←→ＣＳＧ-ＩＤテーブル」を報告するように構成されている。
【００４１】
ここで、ゲートウェイ装置ＨｅＮＢ-ＧＷの報告部２３は、交換局ＭＭＥに対して、所定の無線基地局ＨｅＮＢのｅＮＢ-ＩＤ及びＣＳＧ-ＩＤの組み合わせのみを報告するように構成されていてもよい。
【００４２】
ゲートウェイ装置ＨｅＮＢ-ＧＷのハンドオーバ処理部２４は、無線基地局ｅＮＢからの「ＨＯ  Ｒｅｑｕｅｓｔ」に応じて、交換局ＭＭＥに対して、移動局ＵＥが無線基地局ＨｅＮＢ２に対してアクセス可能であるか否かについて判定するように要求する「Ａｃｃｅｓｓ  Ｃｈｅｃｋ  Ｒｅｑｕｅｓｔ」を送信するように構成されている。
【００４３】
交換局ＭＭＥの受信部３１は、ゲートウェイ装置ＨｅＮＢ-ＧＷによって報告された無線基地局ＨｅＮＢ２及びＨｅＮＢ３のｅＮＢ-ＩＤ及びＣＳＧ-ＩＤの組み合わせを含む「ｅＮＢ-ＩＤ←→ＣＳＧ-ＩＤテーブル」を受信するように構成されている。
【００４４】
交換局ＭＭＥの管理部３２は、受信部３１によって受信された「ｅＮＢ-ＩＤ←→ＣＳＧ-ＩＤテーブル」を管理するように構成されている。
【００４５】
また、交換局ＭＭＥの管理部３２は、各移動局ＵＥ用の「ＵＥ  ＣＳＧ  Ｓｕｂｓｃｒｉｐｔｉｏｎ  ｉｎｆｏ」を管理するように構成されている。
【００４６】
ここで、「ＵＥ  ＣＳＧ  Ｓｕｂｓｃｒｉｐｔｉｏｎ  ｉｎｆｏ」は、移動局ＵＥのアクセス可能なＣＳＧ-ＩＤ（無線基地局グループ識別情報）やアクセス可能な時間等を規定するアクセス情報である。なお、かかる「ＵＥ  ＣＳＧ  Ｓｕｂｓｃｒｉｐｔｉｏｎ  ｉｎｆｏ」は、ＣＳＧ-ＩＤごとにアクセス可能な移動局ＵＥの識別情報を示すリストの形態であってもよい。
【００４７】
交換局ＭＭＥの判定部３３は、ゲートウェイ装置ＨｅＮＢ-ＧＷからの「Ａｃｃｅｓｓ  Ｃｈｅｃｋ  Ｒｅｑｕｅｓｔ」に応じて、移動局ＵＥ用の「ＵＥ  ＣＳＧ  Ｓｕｂｓｃｒｉｐｔｉｏｎ  ｉｎｆｏ」及び「ｅＮＢ-ＩＤ←→ＣＳＧ-ＩＤテーブル」を参照して、移動局ＵＥが無線基地局ＨｅＮＢ２に対してアクセス可能であるか否かについて判定することによって、移動局ＵＥに対する「Ａｃｃｅｓｓｉｂｉｌｉｔｙ  Ｃｈｅｃｋ」を行うように構成されている。
【００４８】
交換局ＭＭＥの通知部３４は、ゲートウェイ装置ＨｅＮＢ-ＧＷに対して、かかる判定結果、すなわち、移動局ＵＥに対する「Ａｃｃｅｓｓｉｂｉｌｉｔｙ  Ｃｈｅｃｋ」の結果について通知するように構成されている。
【００４９】
本発明の第１の実施形態に係る移動通信システムによれば、交換局ＭＭＥが、ゲートウェイ装置ＨｅＮＢ-ＧＷから報告された無線基地局ＨｅＮＢ２のｅＮＢ-ＩＤ及びＣＳＧ-ＩＤの組み合わせを利用することができるので、移動局ＵＥが、ゲートウェイ装置ＨｅＮＢ-ＧＷに収容されている無線基地局ＨｅＮＢ２配下のセルへハンドオーバする場合であっても、かかる移動局ＵＥに対する「Ａｃｃｅｓｓｉｂｉｌｉｔｙ  Ｃｈｅｃｋ」を行うことができる。
【００５０】
（変更例１）
図３及び図４を参照して、本発明の変更例１に係る移動通信システムについて説明する。以下、本変更例１に係る移動通信システムについて、上述の第１の実施形態に係る移動通信システムとの相違点に着目して説明する。
【００５１】
ここで、図３を参照して、本変更例１に係る移動通信システムにおいて、移動局ＵＥが、無線基地局ｅＮＢ配下のセルから無線基地局ＨｅＮＢ２配下のセルにハンドオーバする際に、「Ａｃｃｅｓｓｉｂｉｌｉｔｙ  Ｃｈｅｃｋ」を行う動作について説明する。
【００５２】
図３に示すように、無線基地局ｅＮＢ配下のセルに在圏している移動局ＵＥは、無線基地局ｅＮＢに対して、ＰＣＩのみを含む「Ｍｅａｓｕｒｅｍｅｎｔ  Ｒｅｐｏｒｔ（ステップＳ２０１Ａ）」、或いは、ＰＣＩ及びＥ-ＣＧＩを含む「Ｍｅａｓｕｒｅｍｅｎｔ  Ｒｅｐｏｒｔ（ステップＳ２０１Ｂ）」を送信する。
【００５３】
無線基地局ｅＮＢは、受信した「Ｍｅａｓｕｒｅｍｅｎｔ  Ｒｅｐｏｒｔ」に基づいて、移動局ＵＥの無線基地局ｅＮＢ配下のセルから無線基地局ＨｅＮＢ２配下のセルへのハンドオーバを行うことを決定すると、かかる「Ｍｅａｓｕｒｅｍｅｎｔ  Ｒｅｐｏｒｔ」含まれるＰＣＩ（ステップＳ２０２Ａ）或いはＥ-ＣＧＩ（ステップＳ２０２Ｂ）に基づいて、ハンドオーバ先の無線基地局ＨｅＮＢ２のｅＮＢ-ＩＤ「ｙｙｙ.００１」を決定し、ステップＳ２０３において、移動局ＵＥの識別情報及び無線基地局ＨｅＮＢ２のｅＮＢ-ＩＤ「ｙｙｙ.００１」を含む「ＨＯ  Ｒｅｑｕｅｓｔ」を、ゲートウェイ装置ＨｅＮＢ-ＧＷに対して送信する。
【００５４】
ステップＳ２０４において、ゲートウェイ装置ＨｅＮＢ-ＧＷは、かかる「ＨＯ  Ｒｅｑｕｅｓｔ」に応じて、交換局ＭＭＥに対して、移動局ＵＥの識別情報を含む「Ａｃｃｅｓｓ  Ｃｈｅｃｋ  Ｌｉｓｔ  Ｒｅｑｕｅｓｔ」を送信することによって、交換局ＭＭＥから、移動局ＵＥ用の「ＵＥ  ＣＳＧ  Ｓｕｂｓｃｒｉｐｔｉｏｎ  ｉｎｆｏ」を取得する。
【００５５】
ステップＳ２０５において、ゲートウェイ装置ＨｅＮＢ-ＧＷは、「ｅＮＢ-ＩＤ←→ＣＳＧ-ＩＤテーブル」を参照して、受信した「ＨＯ  Ｒｅｑｕｅｓｔ」に含まれる無線基地局ＨｅＮＢ２のｅＮＢ-ＩＤ「ｙｙｙ.００１」に対応するＣＳＧ-ＩＤ「＃３１」を抽出し、受信した「ＨＯ  Ｒｅｑｕｅｓｔ」に含まれる移動局ＵＥの識別情報によって特定される移動局ＵＥ用の「ＵＥ  ＣＳＧ  Ｓｕｂｓｃｒｉｐｔｉｏｎ  ｉｎｆｏ」内にＣＳＧ-ＩＤ「＃３１」が含まれているか否かについてチェックすることによって、移動局ＵＥに対する「Ａｃｃｅｓｓｉｂｉｌｉｔｙ  Ｃｈｅｃｋ」を行う。
【００５６】
ゲートウェイ装置ＨｅＮＢ-ＧＷは、移動局ＵＥに対する「Ａｃｃｅｓｓｉｂｉｌｉｔｙ  Ｃｈｅｃｋ」に成功した場合、ステップＳ２０６において、無線基地局ＨｅＮＢ２に対して、上述の「ＨＯ  Ｒｅｑｕｅｓｔ」を送信する。
【００５７】
図４に示すように、本変更例１に係る移動通信システムにおいて、無線基地局ＨｅＮＢ２は、管理部１１と、報告部１２とを具備し、ゲートウェイ装置ＨｅＮＢ-ＧＷは、受信部２１と、管理部２２と、報告部２３と、ハンドオーバ処理部２４と、判定部２５とを具備し、交換局ＭＭＥは、受信部３１と、管理部３２と、通知部３４とを具備している。
【００５８】
ゲートウェイ装置ＨｅＮＢ-ＧＷのハンドオーバ処理部２４は、無線基地局ｅＮＢによって送信された「ＨＯ  Ｒｅｑｕｅｓｔ」に応じて、交換局ＭＭＥに対して、移動局ＵＥの識別情報を含む「Ａｃｃｅｓｓ  Ｃｈｅｃｋ  Ｌｉｓｔ  Ｒｅｑｕｅｓｔ」を送信することによって、交換局ＭＭＥから、移動局ＵＥ用の「ＵＥ  ＣＳＧ  Ｓｕｂｓｃｒｉｐｔｉｏｎ  ｉｎｆｏ」を取得するように構成されている。
【００５９】
ゲートウェイ装置ＨｅＮＢ-ＧＷの判定部２５は、上述の「ＨＯ  Ｒｅｑｕｅｓｔ」に応じて、管理部２２によって管理されている「ｅＮＢ-ＩＤ←→ＣＳＧ-ＩＤテーブル」及び移動局ＵＥ用の「ＵＥ  ＣＳＧ  Ｓｕｂｓｃｒｉｐｔｉｏｎ  ｉｎｆｏ」に基づいて、移動局ＵＥが無線基地局ＨｅＮＢ２に対してアクセス可能であるか否かについて判定することによって、移動局ＵＥに対する「Ａｃｃｅｓｓｉｂｉｌｉｔｙ  Ｃｈｅｃｋ」を行うように構成されている。
【００６０】
交換局ＭＭＥの通知部３４は、ゲートウェイ装置ＨｅＮＢ-ＧＷから受信した「Ａｃｃｅｓｓ  Ｃｈｅｃｋ  Ｌｉｓｔ  Ｒｅｑｕｅｓｔ」に応じて、移動局ＵＥ用の「ＵＥ  ＣＳＧ  Ｓｕｂｓｃｒｉｐｔｉｏｎ  ｉｎｆｏ」を通知するように構成されている。
【００６１】
本変更例１に係る移動通信システムによれば、ゲートウェイ装置ＨｅＮＢ-ＧＷが、交換局ＭＭＥから通知された移動局ＵＥ用の「ＵＥ  ＣＳＧ  Ｓｕｂｓｃｒｉｐｔｉｏｎ  ｉｎｆｏ」を利用して、ゲートウェイ装置ＨｅＮＢ-ＧＷに収容されている無線基地局ＨｅＮＢ２配下のセルへハンドオーバする移動局ＵＥに対する「Ａｃｃｅｓｓｉｂｉｌｉｔｙ  Ｃｈｅｃｋ」を行うことができる。
【００６２】
（変更例２）
図５及び図６を参照して、本発明の変更例２に係る移動通信システムについて説明する。以下、本変更例２に係る移動通信システムについて、上述の第１の実施形態に係る移動通信システムとの相違点に着目して説明する。
【００６３】
図５を参照して、本実施形態に係る移動通信システムにおいて、移動局ＵＥが、無線基地局ｅＮＢ配下のセルから無線基地局ＨｅＮＢ２配下のセルにハンドオーバする際に、かかる移動局ＵＥに対する「Ａｃｃｅｓｓｉｂｉｌｉｔｙ  Ｃｈｅｃｋ」を行う動作について説明する。
【００６４】
図５に示すように、無線基地局ｅＮＢ配下のセルに在圏している移動局ＵＥは、無線基地局ｅＮＢに対して、ＰＣＩのみを含む「Ｍｅａｓｕｒｅｍｅｎｔ  Ｒｅｐｏｒｔ」、或いは、ＰＣＩ及びＥ-ＣＧＩを含む「Ｍｅａｓｕｒｅｍｅｎｔ  Ｒｅｐｏｒｔ（ステップＳ３０１）」を送信する。
【００６５】
無線基地局ｅＮＢは、受信した「Ｍｅａｓｕｒｅｍｅｎｔ  Ｒｅｐｏｒｔ」に基づいて、移動局ＵＥの無線基地局ｅＮＢ配下のセルから無線基地局ＨｅＮＢ２配下のセルへのハンドオーバを行うことを決定すると、かかる「Ｍｅａｓｕｒｅｍｅｎｔ  Ｒｅｐｏｒｔ」含まれるＰＣＩ或いはＥ-ＣＧＩ（ステップＳ３０２）に基づいて、ハンドオーバ先の無線基地局ＨｅＮＢ２のｅＮＢ-ＩＤ「ｙｙｙ.００１」を決定し、ステップＳ３０３において、移動局ＵＥの識別情報及び無線基地局ＨｅＮＢ２のｅＮＢ-ＩＤ「ｙｙｙ.００１」を含む「ＨＯ  Ｒｅｑｕｅｓｔ」を、ゲートウェイ装置ＨｅＮＢ-ＧＷに対して送信する。
【００６６】
ステップＳ３０４において、ゲートウェイ装置ＨｅＮＢ-ＧＷは、かかる「ＨＯ  Ｒｅｑｕｅｓｔ」を、無線基地局ＨｅＮＢ２に送信する。
【００６７】
ステップＳ３０５において、無線基地局ＨｅＮＢ２は、かかる「ＨＯ  Ｒｅｑｕｅｓｔ」に応じて、交換局ＭＭＥに対して、移動局ＵＥが無線基地局ＨｅＮＢ２に対してアクセス可能であるか否かについて判定するように要求する「Ａｃｃｅｓｓ  Ｃｈｅｃｋ  Ｒｅｑｕｅｓｔ」を送信する。
【００６８】
交換局ＭＭＥは、かかる「Ａｃｃｅｓｓ  Ｃｈｅｃｋ  Ｒｅｑｕｅｓｔ」に応じて、「ｅＮＢ-ＩＤ←→ＣＳＧ-ＩＤテーブル」を参照して、「Ａｃｃｅｓｓ  Ｃｈｅｃｋ  Ｒｅｑｕｅｓｔ」に含まれる無線基地局ＨｅＮＢ２のｅＮＢ-ＩＤ「ｙｙｙ.００１」に対応するＣＳＧ-ＩＤ「＃３１」を抽出し、受信した「Ａｃｃｅｓｓ  Ｃｈｅｃｋ  Ｒｅｑｕｅｓｔ」に含まれる移動局ＵＥの識別情報（例えば、「Ｓｏｕｒｃｅ  ＭＭＥ  Ｓ１ＡＰ  ＵＥ-ＩＤ」）によって特定される移動局ＵＥ用の「ＵＥ  ＣＳＧ  Ｓｕｂｓｃｒｉｐｔｉｏｎ  ｉｎｆｏ」内にＣＳＧ-ＩＤ「＃３１」が含まれているか否かについてチェックすることによって、移動局ＵＥに対する「Ａｃｃｅｓｓｉｂｉｌｉｔｙ  Ｃｈｅｃｋ」を行う。
【００６９】
なお、交換局ＭＭＥは、無線基地局ＨｅＮＢ２収容するゲートウェイ装置ＨｅＮＢ-ＧＷとの間でＳ１コネクションを確立する際に、無線基地局ＨｅＮＢ２のｅＮＢ-ＩＤ及びＣＳＧ-ＩＤの組み合わせを含む「ｅＮＢ-ＩＤ←→ＣＳＧ-ＩＤテーブル」を取得するように構成されていてもよい。
【００７０】
図６に示すように、本実施形態に係る移動通信システムにおいて、無線基地局ＨｅＮＢ２は、管理部１１と、報告部１２と、ハンドオーバ処理部１３とを具備し、ゲートウェイ装置ＨｅＮＢ-ＧＷは、受信部２１と、管理部２２と、報告部２３とを具備し、交換局ＭＭＥは、受信部３１と、管理部３２と、判定部３３と、通知部３４とを具備している。
【００７１】
無線基地局ＨｅＮＢ２のハンドオーバ処理部１３は、無線基地局ｅＮＢから受信した「ＨＯ  Ｒｅｑｕｅｓｔ」に応じて、交換局ＭＭＥに対して、移動局ＵＥが無線基地局ＨｅＮＢ２に対してアクセス可能であるか否かについて判定するように要求する「Ａｃｃｅｓｓ  Ｃｈｅｃｋ  Ｒｅｑｕｅｓｔ」を送信するように構成されている。
【００７２】
交換局ＭＭＥの判定部３３は、無線基地局ＨｅＮＢ２からの「Ａｃｃｅｓｓ  Ｃｈｅｃｋ  Ｒｅｑｕｅｓｔ」に応じて、移動局ＵＥ用の「ＵＥ  ＣＳＧ  Ｓｕｂｓｃｒｉｐｔｉｏｎ  ｉｎｆｏ」及び「ｅＮＢ-ＩＤ←→ＣＳＧ-ＩＤテーブル」を参照して、移動局ＵＥが無線基地局ＨｅＮＢ２に対してアクセス可能であるか否かについて判定することによって、移動局ＵＥに対する「Ａｃｃｅｓｓｉｂｉｌｉｔｙ  Ｃｈｅｃｋ」を行うように構成されている。
【００７３】
交換局ＭＭＥの通知部３４は、無線基地局ＨｅＮＢ２に対して、かかる判定結果、すなわち、移動局ＵＥに対する「Ａｃｃｅｓｓｉｂｉｌｉｔｙ  Ｃｈｅｃｋ」の結果について通知するように構成されている。
【００７４】
本発明の第１の実施形態に係る移動通信システムによれば、交換局ＭＭＥが、ゲートウェイ装置ＨｅＮＢ-ＧＷから報告された無線基地局ＨｅＮＢ２のｅＮＢ-ＩＤ及びＣＳＧ-ＩＤの組み合わせを利用することができるので、移動局ＵＥが、ゲートウェイ装置ＨｅＮＢ-ＧＷに収容されている無線基地局ＨｅＮＢ２配下のセルへハンドオーバする場合であっても、かかる移動局ＵＥに対する「Ａｃｃｅｓｓｉｂｉｌｉｔｙ  Ｃｈｅｃｋ」を行うことができる。
【００７５】
（変更例３）
図７を参照して、本発明の変更例３に係る移動通信システムについて説明する。以下、本変更例３に係る移動通信システムについて、上述の第１の実施形態に係る移動通信システムとの相違点に着目して説明する。
【００７６】
上述の第１の実施形態及び変更例１、２に係る移動通信システムにおいて、ハンドオーバ元の無線基地局ｅＮＢは、ハンドオーバ先の無線基地局ＨｅＮＢ配下のセルのアクセスモード（図７に示す「Ｔａｒｇｅｔ  Ｃｅｌｌ  Ａｃｃｅｓｓ  Ｍｏｄｅ」）を管理するように構成されていてもよい。
【００７７】
ハンドオーバ元の無線基地局ｅＮＢは、ハンドオーバ先の無線基地局ＨｅＮＢ配下のセルのアクセスモードについて、「Ｃｌｏｓｅｄ」モード、「Ｈｙｂｒｉｄ」モード或いは「Ｏｐｅｎ」モードのいずれかとして管理することができる。
【００７８】
ここで、「Ｃｌｏｓｅｄ」モードは、対象のセルのＣＳＧに属する移動局ＵＥのみに対して使用を許可するモードである。
【００７９】
「Ｈｙｂｒｉｄ」モードは、対象のセルのＣＳＧに属する移動局ＵＥに対しては高品質の通信を許可し、それ以外の移動局ＵＥに対してはベストエフォート品質の通信を許可するモードである。
【００８０】
「Ｏｐｅｎ」モードは、マクロセルと同様に、全ての移動局ＵＥに対して使用を許可するモードである。
【００８１】
ここで、ハンドオーバ元の無線基地局ｅＮＢは、ハンドオーバ先の無線基地局ＨｅＮＢ配下のセルのアクセスモードが「Ｃｌｏｓｅｄ」モード或いは「Ｈｙｂｒｉｄ」モードであるときは、ハンドオーバ対象の移動局ＵＥに対する「Ａｃｃｅｓｓｉｂｉｌｉｔｙ  Ｃｈｅｃｋ」を行うべきであると判定し、ハンドオーバ先の無線基地局ＨｅＮＢ配下のセルのアクセスモードが「Ｏｐｅｎ」モードであるときは、ハンドオーバ対象の移動局ＵＥに対する「Ａｃｃｅｓｓｉｂｉｌｉｔｙ  Ｃｈｅｃｋ」を行う必要はないと判定するように構成されていてもよい。
【００８２】
なお、ハンドオーバ元の無線基地局ｅＮＢは、かかる「Ａｃｃｅｓｓｉｂｉｌｉｔｙ  Ｃｈｅｃｋ」の要否について示すビットを、上述の「ＨＯ  Ｒｅｑｕｅｓｔ」に含めて、ゲートウェイ装置ＨｅＮＢ-ＧＷに送信するように構成されていてもよい。
【００８３】
ここで、ハンドオーバ元の無線基地局ｅＮＢは、移動局ＵＥから送信された「Ｍｅａｓｕｒｅｍｅｎｔ  Ｒｅｐｏｒｔ」等に含まれるＰＣＩに基づいて、ハンドオーバ先の無線基地局ＨｅＮＢ配下のセルのアクセスモードを判定するように構成されていてもよい。
【００８４】
かかる場合、「Ｃｌｏｓｅｄ」モードのＰＣＩの範囲、「Ｈｙｂｒｉｄ」モードのＰＣＩの範囲及び「Ｏｐｅｎ」モードのＰＣＩの範囲が、別々に規定されていてもよい。
【００８５】
例えば、上述の第１の実施形態に係る移動通信システムでは、ゲートウェイ装置ＨｅＮＢ-ＧＷは、「Ａｃｃｅｓｓｉｂｉｌｉｔｙ  Ｃｈｅｃｋ」の要否について示すビットに基づいて、交換局ＭＭＥに対して「Ａｃｃｅｓｓ  Ｃｈｅｃｋ  Ｒｅｑｕｅｓｔ」を送信するか否かについて決定する。
【００８６】
また、上述の変更例２に係る移動通信システムでは、無線基地局ＨｅＮＢ２は、「Ａｃｃｅｓｓｉｂｉｌｉｔｙ  Ｃｈｅｃｋ」の要否について示すビットに基づいて、交換局ＭＭＥに対して「Ａｃｃｅｓｓ  Ｃｈｅｃｋ  Ｒｅｑｕｅｓｔ」を送信するか否かについて決定する。
【００８７】
また、上述の変更例１に係る移動通信システムでは、ゲートウェイ装置ＨｅＮＢ-ＧＷは、「Ａｃｃｅｓｓｉｂｉｌｉｔｙ  Ｃｈｅｃｋ」の要否について示すビットに基づいて、交換局ＭＭＥに対して「Ａｃｃｅｓｓ  Ｃｈｅｃｋ  Ｌｉｓｔ  Ｒｅｑｕｅｓｔ」を送信するか否かについて決定する。
【００８８】
また、変更例３に係る移動通信システムにおいて、かかる「Ａｃｃｅｓｓｉｂｉｌｉｔｙ  Ｃｈｅｃｋ」の要否について示すビットに基づいて、移動局ＵＥの無線基地局ｅＮＢ配下のセルから無線基地局ＨｅＮＢ２配下のセルへのハンドオーバを、Ｓ１ハンドオーバとするべきか、或いは、ゲートウェイ装置ＨｅＮＢ-ＧＷを介したＸ２ハンドオーバとするべきかについて決定するように構成されている。
【００８９】
ここで、無線基地局ｅＮＢは、例えば、図７に示すように、Ｓ１ハンドオーバとするべきであると決定した場合、交換局ＭＭＥにおいて、移動局ＵＥに対する「Ａｃｃｅｓｓｉｂｉｌｉｔｙ  Ｃｈｅｃｋ」を行うべきであると決定するように構成されていてもよい。かかる場合、本変更例３に係る移動通信システムの動作は、図１又は図５に示す動作となる。
【００９０】
また、無線基地局ｅＮＢは、例えば、図７に示すように、ゲートウェイ装置ＨｅＮＢ-ＧＷを介したＸ２ハンドオーバとするべきであると決定した場合、移動局ＵＥに対する「Ａｃｃｅｓｓｉｂｉｌｉｔｙ  Ｃｈｅｃｋ」を行わないものと決定するように構成されていてもよい。
【００９１】
また、交換局ＭＭＥやゲートウェイ装置ＨｅＮＢ-ＧＷ等の「Ａｃｃｅｓｓｉｂｉｌｉｔｙ  Ｃｈｅｃｋ」を行うように構成されているノードが、上述の「ｅＮＢ-ＩＤ←→ＣＳＧ-ＩＤテーブル」等において、ハンドオーバ先の無線基地局ＨｅＮＢ配下のセルのアクセスモードを管理し、上述のハンドオーバ対象の移動局ＵＥに対する「Ａｃｃｅｓｓｉｂｉｌｉｔｙ  Ｃｈｅｃｋ」を行うべきであるか否かについての判定を行うように構成されていてもよい。
【００９２】
以上に述べた本実施形態の特徴は、以下のように表現されていてもよい。
【００９３】
本実施形態の第１の特徴は、移動通信方法であって、交換局ＭＭＥが、移動局ＵＥのアクセス可能なＣＳＧ-ＩＤ（無線基地局グループ識別情報）を規定する移動局ＵＥ用の「ＵＥ  ＣＳＧ  Ｓｕｂｓｃｒｉｐｔｉｏｎ  ｉｎｆｏ（アクセス情報）」を管理する工程と、交換局ＭＭＥが、無線基地局ＨｅＮＢ２（第２無線基地局）を収容するゲートウェイ装置ＨｅＮＢ-ＧＷから、無線基地局ＨｅＮＢ２のｅＮＢ-ＩＤ（識別情報）及びＣＳＧ-ＩＤの組み合わせを含む「ｅＮＢ-ＩＤ←→ＣＳＧ-ＩＤテーブル」を取得する工程と、無線基地局ｅＮＢ（第１無線基地局）が、移動局ＵＥの無線基地局ｅＮＢ配下のセルから無線基地局ＨｅＮＢ２配下のセルへのハンドオーバを行うことを決定した場合に、ゲートウェイ装置ＨｅＮＢ-ＧＷに対して、移動局ＵＥの識別情報及び無線基地局ＨｅＮＢ２のｅＮＢ-ＩＤを含む「ＨＯ  Ｒｅｑｕｅｓｔ（ハンドオーバ要求信号）」を送信する工程と、ゲートウェイ装置ＨｅＮＢ-ＧＷが、「ＨＯ  Ｒｅｑｕｅｓｔ」に応じて、交換局ＭＭＥに対して、移動局ＵＥが無線基地局ＨｅＮＢ２に対してアクセス可能であるか否かについて判定するように要求する「Ａｃｃｅｓｓ  Ｃｈｅｃｋ  Ｒｅｑｕｅｓｔ」を送信する工程と、交換局ＭＭＥが、かかる「Ａｃｃｅｓｓ  Ｃｈｅｃｋ  Ｒｅｑｕｅｓｔ」に応じて、移動局ＵＥ用の「ＵＥ  ＣＳＧ  Ｓｕｂｓｃｒｉｐｔｉｏｎ  ｉｎｆｏ」及び「ｅＮＢ-ＩＤ←→ＣＳＧ-ＩＤテーブル」を参照して、移動局ＵＥが無線基地局ＨｅＮＢ２に対してアクセス可能であるか否かについて判定する工程とを有することを要旨とする。
【００９４】
本実施形態の第２の特徴は、移動通信方法であって、交換局ＭＭＥが、移動局ＵＥ用の「ＵＥ  ＣＳＧ  Ｓｕｂｓｃｒｉｐｔｉｏｎ  ｉｎｆｏ」を管理する工程と、無線基地局ＨｅＮＢ２を収容するゲートウェイ装置ＨｅＮＢ-ＧＷが、無線基地局ＨｅＮＢ２のｅＮＢ-ＩＤ及びＣＳＧ-ＩＤの組み合わせを含む「ｅＮＢ-ＩＤ←→ＣＳＧ-ＩＤテーブル」を管理する工程と、無線基地局ｅＮＢが、移動局ＵＥの無線基地局ｅＮＢ配下のセルから無線基地局ＨｅＮＢ２配下のセルへのハンドオーバを行うことを決定した場合に、ゲートウェイ装置ＨｅＮＢ-ＧＷに対して、移動局ＵＥの識別情報及び無線基地局ＨｅＮＢ２のｅＮＢ-ＩＤを含む「ＨＯ  Ｒｅｑｕｅｓｔ」を送信する工程と、ゲートウェイ装置ＨｅＮＢ-ＧＷが、「ＨＯ  Ｒｅｑｕｅｓｔ」に応じて、交換局ＭＭＥから、移動局ＵＥ用の「ＵＥ  ＣＳＧ  Ｓｕｂｓｃｒｉｐｔｉｏｎ  ｉｎｆｏ」を取得する工程と、ゲートウェイ装置ＨｅＮＢ-ＧＷが、移動局ＵＥ用の「ＵＥ  ＣＳＧ  Ｓｕｂｓｃｒｉｐｔｉｏｎ  ｉｎｆｏ」及び「ｅＮＢ-ＩＤ←→ＣＳＧ-ＩＤテーブル」に基づいて、移動局ＵＥが無線基地局ＨｅＮＢ２に対してアクセス可能であるか否かについて判定する工程とを有することを要旨とする。
【００９５】
本実施形態の第３の特徴は、無線基地局ＨｅＮＢ２を収容するゲートウェイ装置ＨｅＮＢ-ＧＷであって、無線基地局ＨｅＮＢ２のｅＮＢ-ＩＤ及びＣＳＧ-ＩＤの組み合わせを含む「ｅＮＢ-ＩＤ←→ＣＳＧ-ＩＤテーブル」を管理するように構成されている管理部２２と、交換局ＭＭＥに対して、「ｅＮＢ-ＩＤ←→ＣＳＧ-ＩＤテーブル」又は上述の組み合わせを報告するように構成されている報告部２３と、無線基地局ｅＮＢが、移動局ＵＥの無線基地局ｅＮＢ配下のセルから無線基地局ＨｅＮＢ２配下のセルへのハンドオーバを行うことを決定した場合に、無線基地局ｅＮＢから、無線基地局ＨｅＮＢ２のｅＮＢ-ＩＤを含む「ＨＯ  Ｒｅｑｕｅｓｔ」を受信するように構成されているハンドオーバ処理部２４とを具備しており、ハンドオーバ処理部２４は、「ＨＯ  Ｒｅｑｕｅｓｔ」に応じて、交換局ＭＭＥに対して、移動局ＵＥが無線基地局ＨｅＮＢ２に対してアクセス可能であるか否かについて判定するように要求する「Ａｃｃｅｓｓ  Ｃｈｅｃｋ  Ｒｅｑｕｅｓｔ」を送信するように構成されていることを要旨とする。
【００９６】
本実施形態の第４の特徴は、無線基地局ＨｅＮＢ２を収容するゲートウェイ装置ＨｅＮＢ-ＧＷであって、無線基地局ＨｅＮＢ２のｅＮＢ-ＩＤ及びＣＳＧ-ＩＤの組み合わせを含む「ｅＮＢ-ＩＤ←→ＣＳＧ-ＩＤテーブル」を管理するように構成されている管理部２２と、無線基地局ｅＮＢが、移動局ＵＥの無線基地局ｅＮＢ配下のセルから無線基地局ＨｅＮＢ２配下のセルへのハンドオーバを行うことを決定した場合に、無線基地局ｅＮＢから、移動局ＵＥの識別情報及び無線基地局ＨｅＮＢ２のｅＮＢ-ＩＤを含む「ＨＯ  Ｒｅｑｕｅｓｔ」を受信するように構成されているハンドオーバ処理部２４と、かかる「ＨＯ  Ｒｅｑｕｅｓｔ」に応じて、「ｅＮＢ-ＩＤ←→ＣＳＧ-ＩＤテーブル」及び移動局ＵＥ用の「ＵＥ  ＣＳＧ  Ｓｕｂｓｃｒｉｐｔｉｏｎ  ｉｎｆｏ」に基づいて、移動局ＵＥが無線基地局ＨｅＮＢ２に対してアクセス可能であるか否かについて判定するように構成されている判定部２５とを具備しており、ハンドオーバ処理部２４は、かかる「ＨＯ  Ｒｅｑｕｅｓｔ」に応じて、交換局ＭＭＥから、移動局ＵＥ用の「ＵＥ  ＣＳＧ  Ｓｕｂｓｃｒｉｐｔｉｏｎ  ｉｎｆｏ」を取得するように構成されていることを要旨とする。
【００９７】
本実施形態の第５の特徴は、移動通信方法であって、交換局ＭＭＥが、移動局ＵＥのアクセス可能なＣＳＧ-ＩＤを規定する移動局ＵＥ用の「ＵＥ  ＣＳＧ  Ｓｕｂｓｃｒｉｐｔｉｏｎ  ｉｎｆｏ」を管理する工程と、交換局ＭＭＥが、無線基地局ＨｅＮＢ２を収容するゲートウェイ装置ＨｅＮＢ-ＧＷから、無線基地局ＨｅＮＢ２のｅＮＢ-ＩＤ及びＣＳＧ-ＩＤの組み合わせを含む「ｅＮＢ-ＩＤ←→ＣＳＧ-ＩＤテーブル」を取得する工程と、無線基地局ｅＮＢが、移動局ＵＥの無線基地局ｅＮＢ配下のセルから無線基地局ＨｅＮＢ２配下のセルへのハンドオーバを行うことを決定した場合に、ゲートウェイ装置ＨｅＮＢ-ＧＷを介して無線基地局ＨｅＮＢ２に対して、移動局ＵＥの識別情報及び無線基地局ＨｅＮＢ２のｅＮＢ-ＩＤを含む「ＨＯ  Ｒｅｑｕｅｓｔ」を送信する工程と、無線基地局ＨｅＮＢ２が、「ＨＯ  Ｒｅｑｕｅｓｔ」に応じて、交換局ＭＭＥに対して、移動局ＵＥが無線基地局ＨｅＮＢ２に対してアクセス可能であるか否かについて判定するように要求する「Ａｃｃｅｓｓ  Ｃｈｅｃｋ  Ｒｅｑｕｅｓｔ」を送信する工程と、交換局ＭＭＥが、かかる「Ａｃｃｅｓｓ  Ｃｈｅｃｋ  Ｒｅｑｕｅｓｔ」に応じて、移動局ＵＥ用の「ＵＥ  ＣＳＧ  Ｓｕｂｓｃｒｉｐｔｉｏｎ  ｉｎｆｏ」及び「ｅＮＢ-ＩＤ←→ＣＳＧ-ＩＤテーブル」を参照して、移動局ＵＥが無線基地局ＨｅＮＢ２に対してアクセス可能であるか否かについて判定する工程とを有することを要旨とする。
【００９８】
本実施形態の第６の特徴は、ゲートウェイ装置ＨｅＮＢ-ＧＷに収容される無線基地局ＨｅＮＢ２であって、無線基地局ＨｅＮＢ２のｅＮＢ-ＩＤ及びＣＳＧ-ＩＤの組み合わせを含む「ｅＮＢ-ＩＤ←→ＣＳＧ-ＩＤテーブル」を管理するように構成されている管理部１１と、ゲートウェイ装置ＨｅＮＢ-ＧＷに対して、「ｅＮＢ-ＩＤ←→ＣＳＧ-ＩＤテーブル」又は上述の組み合わせを報告するように構成されている報告部２３と、無線基地局ｅＮＢが、移動局ＵＥの無線基地局ｅＮＢ配下のセルから無線基地局ＨｅＮＢ２配下のセルへのハンドオーバを行うことを決定した場合に、無線基地局ｅＮＢから、無線基地局ＨｅＮＢ２のｅＮＢ-ＩＤを含む「ＨＯ  Ｒｅｑｕｅｓｔ」を受信するように構成されているハンドオーバ処理部１３とを具備しており、ハンドオーバ処理部１３は、「ＨＯ  Ｒｅｑｕｅｓｔ」に応じて、交換局ＭＭＥに対して、移動局ＵＥが無線基地局ＨｅＮＢ２に対してアクセス可能であるか否かについて判定するように要求する「Ａｃｃｅｓｓ  Ｃｈｅｃｋ  Ｒｅｑｕｅｓｔ」を送信するように構成されていることを要旨とする。
【００９９】
本実施形態の第７の特徴は、移動通信方法であって、無線基地局ｅＮＢが、移動局ＵＥの無線基地局ｅＮＢ配下のセルからゲートウェイ装置ＨｅＮＢ-ＧＷに収容されている無線基地局ＨｅＮＢ２配下のセルへのハンドオーバを行うことを決定した場合に、無線基地局ＨｅＮＢ２のアクセスモード（「Ｃｌｏｓｅｄ」モード、「Ｈｙｂｒｉｄ」モード或いは「Ｏｐｅｎ」モード）に基づいて、移動局ＵＥが無線基地局ＨｅＮＢ２に対してアクセス可能であるか否かについて判定するべきか否か（移動局ＵＥに対する「Ａｃｃｅｓｓｉｂｉｌｉｔｙ  Ｃｈｅｃｋ」を行うか否か）について決定する工程を有することを要旨とする。
【０１００】
なお、上述の無線基地局ｅＮＢ/ＨｅＮＢや移動局ＵＥやゲートウェイ装置ＨｅＮＢ-ＧＷや交換局ＭＭＥの動作は、ハードウェアによって実施されてもよいし、プロセッサによって実行されるソフトウェアモジュールによって実施されてもよいし、両者の組み合わせによって実施されてもよい。
【０１０１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ/ＨｅＮＢや移動局ＵＥやゲートウェイ装置ＨｅＮＢ-ＧＷや交換局ＭＭＥ内に設けられていてもよい。また、かかる記憶媒体及びプロセッサは、ディスクリートコンポーネントとして無線基地局ｅＮＢ/ＨｅＮＢや移動局ＵＥやゲートウェイ装置ＨｅＮＢ-ＧＷや交換局ＭＭＥ内に設けられていてもよい。
【０１０３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０４】
ｅＮＢ、ＨｅＮＢ…無線基地局
ＨｅＮＢ-ＧＷ…ゲートウェイ装置
ＭＭＥ…交換局
１１、２２、３２、４２…管理部
１２、２３…報告部
２５、３３…判定部
２１、３１…受信部
２４…ハンドオーバ処理部
３４…通知部
【図１】
2011041235.tif 000003
【図２】
2011041235.tif 000004
【図３】
2011041235.tif 000005
【図４】
2011041235.tif 000006
【図５】
2011041235.tif 000007
【図６】
2011041235.tif 000008
【図７】
2011041235.tif 000009
【図８】
2011041235.tif 000010
【図９】
2011041235.tif 000011